(57)【要約】      （修正有）【課題】ストーマと面板の隙間を塞ぎ排便洩れを防止する。【解決手段】スト−マの根っこに巻きつけた脱脂綿（１）と、パッキン（２）及びパッキン押え（３）からなる、排便漏れ防止装具。【選択図】図１
2013169450.tif 000002
【特許請求の範囲】
【請求項１】
ストーマに脱脂綿（１）パッキン（２）を設け面板とストーマの隙間を塞ぎ、パッキン押え（３）からなる構成による排便洩れ防止装具である。
【発明の詳細な説明】
【技術分野】
【０００１】この発明は、ストーマ保有者が使用する一般市販面板とストーマの隙間から特に硬い便は排便洩れがおきて常に不安で安心安全の生活が送れない為の排便洩れ防止装具である。
【背景技術】
【０００２】従来の排便装具の中で面板とストーマの隙間から排便洩れに対処する物は市場には無い物でありストーマ保有者は日常生活で不安を抱えている。
【発明の開示】
【発明が解決しようとする課題】
【０００３】市販面板は従来、ストーマの大きさに合わせて面板に穴加工された物か自分でストーマに合わせて穴をハサミで切り取るものが有りますがどうしても隙間ができますそれを補正する物は無くその隙間を塞ぐ事により排便洩れの欠点をなくす為になされたものである。
【課題を解決するための手段】
【０００４】脱脂綿（１）をストーマの根っこに巻きつけパッキン（２）を設けパッキン押え（３）からなる本発明は、以上の構成よりなる排便洩れ防止装具である。
【発明の効果】
【０００５】排便洩れの道を塞ぐ事で排便は時と場所を選ばずあるのでいかなる状況での排便も安心して日常生活を送る事が出来る。
【発明を実施するための最良の形態】
【０００６】以下、本発明を実施するための最良の形態について説明する。
腸は神経が無いので脱脂綿（１）をストーマの根っこに巻きつけシリコンゴムパッキン（２）を指で広げて嵌めてストーマの根っこの変形した形状を［図３］のＤ−断面のようにやや強制して市販面板とストーマの隙間を塞ぐ［図３］のＢ−Ｂ矢視及びＣ−断面のごとく排便の圧力をお腹に直接受けて市販面板裏面に排便が侵入して面板とお腹の接着面を剥がさない様にする。それ以上の圧力がかかるとストーマ出口に近いパッキン押え（３）の先端の傾斜に沿って外に滑るように流れるのでストーマの根っこのほうには大きな圧力はかからない（３）は肌に優しいプラスチック製として市販面板に押付け貼付構造の排便洩れ装具である。
【図面の簡単な説明】
【０００７】
【図１】本発明の断面図及び正面図他詳細図である。
【図２】本発明の斜視図である。
【図３】本発明の矢視図及び説明用図面である。
【符号の説明】
【０００８】１    脱脂綿
２    パッキン
３    パッキン押え
【図１】
2013169450.tif 000003
【図２】
2013169450.tif 000004
【図３】
2013169450.tif 000005
【手続補正書】
【提出日】平成24年3月20日(2012.3.20)
【手続補正１】
【補正対象書類名】図面
【補正対象項目名】全図
【補正方法】変更
【補正の内容】
【図１】
2013169450.tif 000006
【図２】
2013169450.tif 000007
【図３】
2013169450.tif 000008
【手続補正書】
【提出日】平成24年4月5日(2012.4.5)
【手続補正１】
【補正対象書類名】特許請求の範囲
【補正対象項目名】請求項１
【補正方法】変更
【補正の内容】
【請求項１】
スト−マに脱脂綿（１）を巻き、ジョイント（２）を嵌める事によりシール性を高めようとする。構成によりなる排便洩れ防止装具。
【手続補正２】
【補正対象書類名】明細書
【補正対象項目名】全文
【補正方法】変更
【補正の内容】
【発明の詳細な説明】
【技術分野】
【０００１】この発明は、スト−マ保有者が使用する一般市販面板とスト−マの隙間から特に硬い便は排便洩れがおきて常に不安で安心安全快活の生活が送れない為、不安解消の為の排便洩れ防止装具に関する物である。
【背景技術】
【０００２】従来の排便装具の中で面板とスト−マの隙間から排便洩れに対処する物は市場には粘土で隙間を埋める物がありますが確実に洩れますので、スト−マ保有者は日常生活で常に不安を抱えている。
【発明の開示】
【発明が解決しようとする課題】
【０００３】市販面板は従来、スト−マの大きさに合わせて面板に穴加工された物か自分でスト−マに合わせて穴をハサミで切り取る物が有りますがどうしても隙間ができますそれを完全に補正する物は無くその隙間を塞ぐ事により排便洩れの欠点を無くす為になされたものである。
【課題を解決するための手段】
【０００４】脱脂綿（１）をスト−マの根っこに巻き、巻数により厚み調整をして輪ゴム的な役目と継手の役目のジョイント（２）からなる、本発明は、以上の構成よりなる排便洩れ防止装具である。
【発明の効果】
【０００５】排便洩れの道を塞ぐ事で、排便は時と場所を選ばずあるので、いかなる状況での排便も安心した日常生活を送る事が出来る。
【発明を実施するための最良の形態】
【０００６】以下、本発明を実施するための最良の形態について説明する。
脱脂綿（１）をスト−マの根っこに巻き、巻数により厚み調整して輪ゴム的な役目のシリコンゴム製のジョイント（２）を指で少し広げて嵌めてスト−マの根っこの変形した形状を［図３］のＤ−断面のようにやや強制して市販面板とスト−マの隙間を塞ぐ［図３］のＢ−Ｂ矢視及びＣ−断面のごとく排便の圧力をお腹に直接受けてお腹がへこみ市販面板裏面に排便が侵入して面板とお腹の接着面を剥がさない様にする。それ以上の圧力がかかるとスト−マ出口に近いジョイント（２）の先端の傾斜に沿って外に滑るように流れるのでスト−マの根っこのほうには大きな圧力はかからない（２）はお腹に貼付け穴加工された市販面板を（２）溝に差込構造の排便洩れ防止装具である。
【図面の簡単な説明】
【０００７】
【図１】本発明の断面図及び正面図他詳細図である。
【図２】本発明の斜視図である。
【図３】本発明の矢視図及び説明用図面である。
【符号の説明】
【０００８】１  脱脂綿
２  ジョイント
【手続補正書】
【提出日】平成24年4月5日(2012.4.5)
【手続補正１】
【補正対象書類名】図面
【補正対象項目名】全図
【補正方法】変更
【補正の内容】
【図１】
2013169450.tif 000009
【図２】
2013169450.tif 000010
【図３】
2013169450.tif 000011
【手続補正書】
【提出日】平成24年4月11日(2012.4.11)
【手続補正１】
【補正対象書類名】図面
【補正対象項目名】図２
【補正方法】変更
【補正の内容】
【図２】
2013169450.tif 000012
【手続補正書】
【提出日】平成24年10月1日(2012.10.1)
【手続補正１】
【補正対象書類名】特許請求の範囲
【補正対象項目名】請求項１
【補正方法】変更
【補正の内容】
【請求項１】
スト−マに脱脂綿をシ−ルとして使用する事、その脱脂綿（１）を巻き、ジョイント（２）を嵌める事によりシ−ル性を高めようとする。構成によりなる排便洩れ防止装具。
【手続補正２】
【補正対象書類名】明細書
【補正対象項目名】０００６
【補正方法】変更
【補正の内容】
【０００６】以下、本発明を実施するための最良の形態について説明する。
脱脂綿（１）をスト−マの根っこに巻き、厚み調整をして輪ゴム的な役目のシリコンゴム製のジョイント（２）を指で少し広げて嵌めてスト−マの根っこの変形した形状を〔図３〕のＤ−断面のようにやや矯正して市販面板とスト−マの隙間を塞ぐ〔図３〕のＢ−Ｂ矢視及びＣ−断面のごとく排便の圧力をお腹に直接受けて市販面板裏面に排便が侵入して面板とお腹の接着面を剥がさない様にする。それ以上の圧力がかかるとスト−マの出口に近いジョイント（２）の先端の傾斜に沿って外に滑るように流れるのでスト−マの根っこの方には大きな圧力はかからない脱脂綿の繊維がスト−マの周上接触面積にからみ硬い排便の道を塞ぎ排便圧の歯止めになり抵抗をもたらす事が出来シ−ル性が高まる（２）はお腹に貼付け市販面板を（２）の溝に差込構造の排便洩れ装具である。